(57)【要約】【課題】吸着剤の再生を効率よく行うことができると共に小型化を図り易い除湿乾燥機を得ること。【解決手段】除湿乾燥機７０Ａを構成するにあたり、室内空気吸込口、他室空気吸込口３ａ、空気吹出口、および排気口５ａが設けられたハウジング部２０内に送風機２５を配置すると共に、送風機と空気吹出口との間に加熱器３０を配置して該加熱器に除湿用の吸着剤を担持させ、送風機での吸気経路を室内空気吸込口からの室内空気風路と他室空気吸込口からの他室空気風路とに切り換える吸気風路切換部、空気吹出口を開閉する吹出口開閉部、および排気口を開閉する排気口開閉部５５の各々を制御部により制御することで、室内の空気を除湿して室内に吹き出す除湿用の風路と、吸着剤の再生により生じた多湿空気を排気口から外部に排気する排気用の風路とをハウジング部内に形成にする。【選択図】        図７
2010259994.tif 000002
【特許請求の範囲】
【請求項１】
室内の空気を吸い込むための室内空気吸込口、他室の空気を吸い込むための他室空気吸込口、吸い込んだ空気を前記室内に吹き出すための空気吹出口、および吸い込んだ空気を外部に排気するための排気口が設けられたハウジング部と、
前記ハウジング部内に配置され、前記室内空気吸込口および前記他室空気吸込口の少なくとも一方から前記ハウジング部内に空気を吸い込んで前記空気吹出口および前記排気口の少なくとも一方から吹き出させるための送風機と、
前記ハウジング部内での前記室内空気吸込口と前記空気吹出口との間に配置された加熱器と、
該加熱器に担持された除湿用の吸着剤と、
前記空気吹出口を開閉する吹出口開閉部と、
前記送風機での吸気経路を、前記室内空気吸込口から該送風機に至る室内空気風路および前記他室空気吸込口から該送風機に至る他室空気風路の少なくとも一方に規定することができる吸気風路切換部と、
前記排気口を開閉する排気口開閉部と、
前記送風機、前記加熱器、前記吹出口開閉部、前記吸気風路切換部、および前記排気口開閉部の動作を制御する制御部と、
を備え、
前記制御部は、前記室内を除湿するときには、前記吹出口開閉部を開にし、前記吸気風路切換部により前記送風機での吸気経路を前記室内空気風路にし、前記排気口開閉部を閉にして前記送風機を動作させ、前記吸着剤から水分を脱着させて該吸着剤を再生させるときには前記加熱器を動作させ、
前記吸着剤の再生により該吸着剤から脱着した水分を含んだ多湿空気は、前記制御部の制御の下に前記吹出口開閉部を閉にすると共に前記排気口開閉部を開にして前記送風機を動作させることで、前記排気口から外部に排気可能であることを特徴とする除湿乾燥機。
【請求項２】
前記制御部は、前記吸着剤を再生させるときと前記多湿空気を排気するときの少なくとも一方で、前記吸気風路切換部により前記送風機での吸気経路を前記他室空気風路にすることを特徴とする請求項１に記載の除湿乾燥機。
【請求項３】
前記制御部は、前記吸着剤を再生させるときに、前記送風機を停止状態にすることを特徴とする請求項１または２に記載の除湿乾燥機。
【請求項４】
前記制御部は、前記吸着剤を再生させるときに、前記吹出口開閉部および前記排気口開閉部の少なくとも一方を閉にすることを特徴とする請求項１〜３のいずれか１つに記載の除湿乾燥機。
【請求項５】
前記制御部により前記吹出口開閉部を開にして前記送風機と前記加熱器とを動作させることで、前記加熱器で生じた熱を室内に投入して該室内の暖房または乾燥を行うことができることを特徴とする請求項１〜４のいずれか１つに記載の除湿乾燥機。
【請求項６】
前記制御部は、前記室内の除湿のための制御と、前記吸着剤の再生および前記多湿空気の排気のための制御とを交互に行うことを特徴とする請求項１〜５のいずれか１つに記載の除湿乾燥機。
【請求項７】
前記吸着剤はシリカゲルまたはゼオライトであることを特徴とする請求項１〜６のいずれか１つに記載の除湿乾燥機。
【請求項８】
前記加熱器の上方に、前記多湿空気が滞留可能な空間が形成されていることを特徴とする請求項１〜７のいずれか１つに記載の除湿乾燥機。
【請求項９】
前記加熱器の温度を検知する温度センサを更に備え、
前記制御部は、前記温度センサの検知温度に応じて前記加熱器への投入電力量を制御することを特徴とする請求項１〜８のいずれか１つに記載の除湿乾燥機。
【請求項１０】
前記加熱器はＰＴＣヒータであることを特徴とする請求項１〜９のいずれか１つに記載の除湿乾燥機。
【請求項１１】
前記室内の空気の状態を検知するセンシング部を更に備え、
前記制御部は、前記室内を除湿するときの前記送風機の動作内容と、前記吸着剤を再生させるときの前記加熱器および前記送風機の動作内容との少なくとも一方を前記センシング部の検知結果に応じて選定し、該選定した動作内容に従って前記送風機および前記加熱器の動作を制御することを特徴とする請求項１〜１０のいずれか１つに記載の除湿乾燥機。
【請求項１２】
前記制御部は、前記吸着剤を再生させるときに、前記吸気風路切換部により前記送風機での吸気経路を前記室内空気風路と前記他室空気風路とのどちらにするかを前記センシング部の検知結果に応じて選定することを特徴とする請求項１１に記載の除湿乾燥機。
【請求項１３】
前記センシング部は、湿度センサおよび温度センサの少なくとも一方であることを特徴とする請求項１１または１２に記載の除湿乾燥機。
【請求項１４】
前記吹出口開閉部は電動式のルーバであり、
前記制御部は、前記ルーバの動作を制御して該ルーバの開度を調整することで前記空気吹出口からの空気の吹出し方向を制御することを特徴とする請求項１〜１３のいずれか１つに記載の除湿乾燥機。
【請求項１５】
前記ルーバは、並列配置された複数枚の第１羽板と、並列配置された複数枚の第２羽板とを有し、平面視したときに前記第１羽板と前記第２羽板とが互いに交差することを特徴とする請求項１４に記載の除湿乾燥機。
【請求項１６】
前記ハウジング部には、前記多湿空気を他室に供給するための多湿空気吹出口が更に設けられ、
該多湿空気給気口を開閉する多湿空気用風路開閉部を更に備え、
前記制御部は、前記多湿空気を排気するときに前記排気口開閉部および前記多湿空気用風路開閉部の動作を制御して、前記多湿空気を前記排気口および前記多湿空気吹出口の少なくとも一方に流入させることを特徴とする請求項１〜１５のいずれか１つに記載の除湿乾燥機。
【請求項１７】
前記排気口開閉部は、前記多湿空気用風路開閉部としての機能を兼ね備えていることを特徴とする請求項１６に記載の除湿乾燥機。
【発明の詳細な説明】
【技術分野】
【０００１】
この発明は、室内の空気の除湿、乾燥を行う除湿乾燥機に関する。
【背景技術】
【０００２】
従来より、吸着剤を用いた除湿乾燥機が提案されている。例えば特許文献１には、ゼオライトやシリカゲル等の吸着剤（吸湿性材料）を担持したセラミックペーパを用いて構成された除湿ロータを備えると共に、浴室内の空気を吸い込んで除湿ロータ経由で浴室内に戻す循環風路と、浴室内の空気を吸い込んで再生ヒータおよび除湿ロータ経由で浴室外に排出する再生風路とを備えた除湿乾燥機（除湿機能付浴室暖房乾燥機）が記載されている。この除湿乾燥機では、循環風路および再生風路の各々を横断するようにして除湿ロータが配置されているので、浴室内の空気を上記の循環風路に流すことによる浴室内の除湿と、再生風路に吸い込まれた空気を再生ヒータにより加熱してから除湿ロータに送ることによる吸着剤の再生とを一時に行うことができる。
【０００３】
また、特許文献２には、吸着剤を担持した２つの熱交換器を用いて冷媒回路を構成すると共に該冷媒回路での冷媒の循環方向を反転可能に構成し、冷媒の循環方向を反転させることで上記２つの熱交換器の各々を交互に蒸発器、凝縮器として機能させ、蒸発器側で室内の除湿が行われ、凝縮器側で室外空気への水分の移動が行われるように空気の流通経路を切り換える除湿乾燥機（調湿装置）が記載されている。この除湿乾燥機では、上記の冷媒回路がケーシング内に配置される。
【先行技術文献】
【特許文献】
【０００４】
【特許文献１】特許第３８０４８６６号公報
【特許文献２】特許第３８１５４８５号公報
【発明の概要】
【発明が解決しようとする課題】
【０００５】
しかしながら、特許文献１に記載された除湿乾燥機におけるように、吸着剤を再生するための再生ヒータと除湿ロータとを別々に有する除湿乾燥機では、部品点数を低減させ難い。また、循環風路および再生風路の各々を横断するようにして除湿ロータを配置すると、除湿ロータにより除湿された空気と吸着剤の再生により多湿になった空気とが混合しないように２つの風路を区分するためのシール構造が複雑になることから、装置の小型化を図り難い。さらには、再生ヒータで加熱した空気を除湿ロータに送って吸着剤を再生することから、再生ヒータで生じた熱エネルギーの一部しか吸着剤の再生に利用されず、エネルギーの無駄が多い。
【０００６】
また、吸着剤の再生用の空気を除湿対象の部屋（自室）から機器内へ取り込むため、同量の空気が他室から自室に流入し、他室が高湿度の場合は、流入した空気により自室の湿度が上昇してしまう等、他室の空気条件の影響を受けてしまうという問題がある。
【０００７】
吸着剤を担持した２つの熱交換器を用いて冷媒回路を構成し、これら２つの熱交換器の各々を交互に蒸発器、凝縮器として機能させる特許文献２の除湿乾燥機では、構造が複雑であるために装置の小型化を図り難い。また、熱交換器に担持された吸着剤は、当該熱交換器が凝縮器として機能しているときに再生されるものの、再生時の温度が最高でも６０℃程度であるため、吸着剤に吸着した水分を十分に脱着させることが困難であり、吸着剤の再生効率が低い。
【０００８】
この発明は上記の事情に鑑みてなされたものであり、吸着剤の再生を効率よく行うことができると共に、周囲の部屋の空気条件の影響を受け難く、小型化を図り易い除湿乾燥機を得ることを目的とする。
【課題を解決するための手段】
【０００９】
この発明の除湿乾燥機は、室内の空気を吸い込むための室内空気吸込口、他室の空気を吸い込むための他室空気吸込口、吸い込んだ空気を上記の室内に吹き出すための空気吹出口、および吸い込んだ空気を外部に排気するための排気口が設けられたハウジング部と、ハウジング部内に配置され、室内空気吸込口および他室空気吸込口の少なくとも一方からハウジング部内に空気を吸い込んで空気吹出口および排気口の少なくとも一方から吹き出させるための送風機と、ハウジング部内での室内空気吸込口と空気吹出口との間に配置された加熱器と、加熱器に担持された除湿用の吸着剤と、空気吹出口を開閉する吹出口開閉部と、送風機での吸気経路を、室内空気吸込口から該送風機に至る室内空気風路および他室空気吸込口から該送風機に至る他室空気風路の少なくとも一方に規定することができる吸気風路切換部と、排気口を開閉する排気口開閉部と、送風機、加熱器、吹出口開閉部、吸気風路切換部、および排気口開閉部の動作を制御する制御部とを備え、制御部は、室内を除湿するときには、吹出口開閉部を開にし、吸気風路切換部により送風機での吸気経路を室内空気風路にし、排気口開閉部を閉にして送風機を動作させ、吸着剤から水分を脱着させて吸着剤を再生させるときには加熱器を動作させ、吸着剤の再生により吸着剤から脱着した水分を含んだ多湿空気は、制御部の制御の下に吹出口開閉部を閉にすると共に排気口開閉部を開にして送風機を動作させることで、排気口から外部に排気可能であることを特徴とする。
【発明の効果】
【００１０】
この発明の除湿乾燥機では、加熱器に吸着剤を担持させているので、加熱器で生じた熱エネルギーの多くを吸着剤の再生に利用することができる。また、吸着剤を担持させるための部品を加熱器とは別に設ける場合に比べて部品点数が低減される。さらには、吸気風路切換部、吹出口開閉部、および排気口開閉部それぞれの開閉制御により除湿用の風路と排気用の風路とを形成することができるので、ハウジング部内での風路のシール構造を比較的単純にすることができる。したがって、この発明によれば、吸着剤の再生を効率よく行うことができると共に小型化を図り易い除湿乾燥機が得られる。また、脱着後の水分の排出に必要な空気を除湿対象の部屋以外の別の部屋から取り入れることが可能なように構成されており、吸着剤の再生時に除湿対象の部屋が換気されることがないので、周囲の部屋の空気条件の影響を受け難く、安定して除湿することができる。
【図面の簡単な説明】
【００１１】
【図１】図１は、この発明の除湿乾燥機の一例を室内側から概略的に示す斜視図である。
【図２】図２は、図１に示した除湿乾燥機を室外側から概略的に示す斜視図である。
【図３】図３は、図１に示した除湿乾燥機の内部を室外側から概略的に示す斜視図である。
【図４】図４は、図１に示した除湿乾燥機が除湿運転を行っているときの内部の状態を側方から概略的に示す斜視図である。
【図５】図５は、図１に示した除湿乾燥機が再生運転を行っているときの状態を室内側から概略的に示す斜視図である。
【図６】図６は、図１に示した除湿乾燥機が再生運転を行っているときの内部の状態を側方から概略的に示す斜視図である。
【図７】図７は、図１に示した除湿乾燥機が再生運転を行っているときの内部の状態を室外側から概略的に示す斜視図である。
【図８】図８は、この発明の除湿乾燥機のうちで自室や他室の空気の状態を検知するセンシング部を備えたものの一例での内部を側方から概略的に示す斜視図である。
【図９】図９は、この発明の除湿乾燥機のうちで加熱器周辺での気流の発生を抑えた状態で吸着剤の再生を行うように構成されたものの一例での吸着剤再生時の状態を示す模式図である。
【図１０】図１０は、この発明の除湿乾燥機のうちで加熱器周辺での気流の発生を抑えた状態で吸着剤の再生を行うように構成されたものの他の例での吸着剤再生時の状態を示す模式図である。
【図１１】図１１は、この発明の除湿乾燥機のうちで加熱器の温度を検知する温度センサを備えたものの一例を示す模式図である。
【図１２】図１２は、この発明の除湿乾燥機のうちで空気吹出口からの空気の吹出し方向が可変に構成されたものの一例を室内側から概略的に示す斜視図である。
【発明を実施するための形態】
【００１２】
以下、この発明の除湿乾燥機の実施の形態について、図面を参照して詳細に説明する。なお、この発明は以下に説明する実施の形態に限定されるものではない。
【００１３】
実施の形態１．
図１は、この発明の除湿乾燥機の一例を室内側から概略的に示す斜視図であり、図２は、図１に示した除湿乾燥機を室外側から概略的に示す斜視図であり、図３は、図１に示した除湿乾燥機の内部を室外側から概略的に示す斜視図である。これらの図に示す除湿乾燥機７０Ａは、建物内の所望の箇所、例えば浴室の天井部や壁に設置されて部屋の空気の除湿、乾燥を行うと共に、上記建物内の他の部屋（他室）、例えば洗面室、脱衣室、または居室等の換気を行う。
【００１４】
図示の除湿乾燥機７０Ａは、部屋の空気の除湿と換気とを行うために、ハウジング部２０、送風機２５、吸着剤（図示せず）を担持した加熱器３０、加熱器保持部３５、吹出口開閉部４０Ａ、風路仕切部４５、吸気風路切換部（図示せず）、排気口開閉部５５、制御部６０、およびリモートコントローラ（図示せず）を備えている。以下、除湿乾燥機７０Ａの構成部材を個別に説明する。
【００１５】
上記のハウジング部２０（図１〜図３参照）は、他室用換気ダクト接続部３、排気ダクト接続部５、および直方体状のハウジング本体１０を有している。他室用換気ダクト接続部３および排気ダクト接続部５の各々は、ハウジング本体１０の側面に取り付けられている。他室用換気ダクト接続部３には、ハウジング本体１０の側面に設けられた通風口１０ｄ（図３参照）を通じてハウジング部２０の内部に連通する他室空気吸込口３ａが形成されており、該他室用換気ダクト接続部３は、除湿乾燥機７０Ａが設置される部屋（例えば浴室）とは異なる他の部屋（例えば洗面室）に連通するダクトに接続される。また、排気ダクト接続部５には、ハウジング本体１０の側面に設けられた通風口（図示せず）を通じてハウジング部２０の内部に連通する排気口５ａ（図１参照）が形成されており、該排気ダクト接続部５は排気ダクトに接続される。
【００１６】
ハウジング本体１０での室内側の面（底面）には、室内の空気を吸い込むための室内空気吸込口１０ａと、吸い込んだ空気を上記の室内に吹き出すための空気吹出口１０ｂ（図１参照）とが形成されており、室外側の面（上面）には、送風機２５のモータＭの回転軸を挿入するためのモータ軸挿入口（図示せず）が形成されている。
【００１７】
送風機２５（図１および図３参照）は片吸込式のシロッコファン送風機であり、室内空気吸込口１０ａ、他室空気吸込口３ａ、空気吹出口１０ｂ、および排気口５ａの各々から離隔してハウジング部２０内に配置されている。この送風機２５での吸込口２５ａ（図１参照）は室内空気吸込口１０ａに面しており、該吸込口２５ａには他室空気吸込口３ａが近接している。また、送風機２５の吹出口２５ｂ（図３参照）は加熱器３０側にあり、モータＭ（図２および図３参照）はハウジング本体１０の外部に配置されている。
【００１８】
加熱器３０（図１および図３参照）は、例えば複数の発熱体を間隔をあけて配置したり、発熱体の周囲に複数の放熱フィンを設けたりすることで発熱体周囲、放熱フィン周囲に空気の流路を形成し、該流路に空気を通すことにより放熱するように構成された電気ヒータや、周囲に電気絶縁体、熱伝導体が配置された発熱体を金属パイプの中に収めた電気ヒータ等を用いて構成され、その表面にはシリカゲルやゼオライト等の吸着剤が担持されている。この加熱器３０は、筒状の加熱器保持部３５（図１および図３参照）により保持されて、空気吹出口１０ｂの上方（室外側）、送風機２５の吹出口２５ｂよりも排気口５ａ側下方（室内側）に配置されている。加熱器３０の過加熱を抑えるという観点から、当該加熱器３０としてはＰＴＣ（Positive  Temperature  Coefficient；自己温度制御性）ヒータを用いることが好ましい。
【００１９】
吹出口開閉部４０Ａ（図１参照）は空気吹出口１０ｂに配置されて、該空気吹出口１０ｂを開閉する。図示の例では、並列配置された４枚の羽板４０ａを有する電動式のルーバにより吹出口開閉部４０Ａが構成されている。
【００２０】
風路仕切部４５（図３参照）は、ハウジング本体１０に形成されている通風口１０ｄと対向するようにしてハウジング部２０内に立設された第１風路仕切部４２と、送風機２５の吹出口２５ｂから加熱器３０の周囲にかけて立設された第２風路仕切部４３とを有している。この風路仕切部４５は、空気吸込口１０ａと送風機２５との間に後述の室内空気風路ＦＰ1を形成すると共に、他室空気吸込口３ａと送風機２５との間に後述の他室空気風路ＦＰ2を形成する。また、加熱器３０およびその周囲に排気室ＥＲ（図３参照）を画定する。そのために、第１風路仕切部４２での下部には、室内空気風路ＦＰ1と他室空気風路ＦＰ2とを互いに連通させる吸気用開口部（図示せず）が形成されている。また、第２風路仕切部４３には、ハウジング本体１０に形成されて排気口５ａに連通する通風口（図示せず）と重なるようにして、排気用開口部（図示せず）が形成されている。
【００２１】
吸気風路切換部（図示せず）は、例えば電動式のダンパにより構成されて、送風機２５での吸気経路を後述の室内空気風路ＦＰ1または他室空気風路ＦＰ2に切り換える。具体的には、空気吸込口１０ａを開にすると共に第１風路仕切部４２での吸気用開口部を閉にすることで送風機２５での吸気経路を室内空気風路ＦＰ1にし、空気吸込口１０ａを閉にすると共に上記の吸気用開口部を開にすることで送風機２５での吸気経路を他室空気風路ＦＰ2にする。当該吸気風路切換部については、後に図４および図７を参照して詳述する。
【００２２】
排気口開閉部５５（図３参照）は、例えば電動式のダンパにより構成されて、排気口５ａを開閉させる。図示の除湿乾燥機７０Ａでは、第２風路仕切部４３よりも排気室ＥＲ内側に排気口開閉部５５が設けられている。
【００２３】
制御部６０は、所定の制御プログラムが格納された記憶素子（図示せず）を有し、図示を省略したリモートコントローラから入力された指令に応じて送風機２５、加熱器３０、吹出口開閉部４０Ａ、吸気風路切換部（図示せず）、および排気口開閉部５５の動作をそれぞれ別個に制御して、除湿乾燥機７０Ａに除湿運転や吸着剤の再生運転等を行わせる。
【００２４】
以下、図１〜図３に加えて図４〜図７を参照して、除湿乾燥機７０Ａでの除湿運転および再生運転について説明する。なお、図４は、図１に示した除湿乾燥機が除湿運転を行っているときの内部の状態を側方から概略的に示す斜視図である。また、図５は、図１に示した除湿乾燥機が再生運転を行っているときの状態を室内側から概略的に示す斜視図であり、図６は、図１に示した除湿乾燥機が再生運転を行っているときの内部の状態を側方から概略的に示す斜視図であり、図７は、図１に示した除湿乾燥機が再生運転を行っているときの内部の状態を室外側から概略的に示す斜視図である。
【００２５】
上記の除湿運転では、図１および図４に示すように空気吹出口１０ｂが吹出口開閉部４０Ａによって開（以下、「吹出口開閉部４０Ａが開」という）にされると共に、図３に示すように排気口５ａが排気口開閉部５５によって閉（以下、「排気口開閉部５５が閉」という）にされる。また、図４に示すように、吸気風路切換部５０によって室内空気吸込口１０ａが開にされると共に第１風路仕切部４２の吸気用開口部４２ａが閉にされて、送風機２５での吸気経路が室内空気風路ＦＰ1にされる。さらには、送風機２５が起動される。加熱器３０へは通電されない。
【００２６】
これらの結果として、除湿乾燥機７０Ａが設置されている部屋の空気が室内空気吸込口１０ａから室内空気風路ＦＰ1に流入し、送風機２５の吸気口２５ａから該送風機２５内に流入する。送風機２５内に流入した空気は、送風機２５の内部流路を通って吹出口２５ｂから排気室ＥＲ（図３参照）に吹き出し、加熱器３０中の流路を通って空気吹出口１０ｂ（図１または図４参照）から上記の部屋に吹き出す。排気口５ａ（図３参照）には流入しない。加熱器３０を通過する過程で、該加熱器３０に担持されている吸着剤に空気中の水分が吸着して、当該空気が除湿される。
【００２７】
一方、吸着剤の再生運転では、図５および図６に示すように、空気吹出口１０ｂが吹出口開閉部４０Ａによって閉（以下、「吹出口開閉部４０Ａが閉」という）にされる。また、吸気風路切換部５０によって室内空気吸込口１０ａが閉にされると共に第１風路仕切部４２の吸気用開口部４２ａが開（図６参照）にされて、送風機２５での吸気経路が他室空気風路ＦＰ2にされる。さらには、排気口５ａが排気口開閉部５５によって開（以下、「排気口開閉部５５が開」という）にされ、送風機２５が起動されると共に加熱器３０への通電が開始される。
【００２８】
これらの結果として、除湿乾燥機７０Ａが設置されている部屋とは異なる他の部屋（他室）の空気が他室空気吸込口３ａから他室空気風路ＦＰ2に流入し、吸気用開口部４２ａを通って送風機２５の吸気口２５ａから該送風機２５内に流入する。送風機２５内に流入した空気は、送風機２５の内部流路を通って吹出口２５ｂから排気室ＥＲに吹き出し、第２風路仕切部４３の排気用開口部４３ａから通風口１０ｅ（図７参照）を通って排気口５ａに流入し、ここから外部に排気される。また、加熱器３０に担持されている吸着剤（図示せず）が当該加熱器３０により加熱されることから、吸着剤から水分が脱着して吸着剤が再生される。吸着剤から脱着した水分を含んだ多湿空気は、送風機２５から排気室ＥＲに吹き出された他室の空気と共に排気口５ａを通って外部に排気される。
【００２９】
したがって、再生運転時には他室の換気運転も自ずと行われる。除湿乾燥機７０Ａが設置されている部屋（自室）の換気は、除湿乾燥機７０Ａによっては行われない。このため、再生運転中に他室の空気が自室に流入して自室の空気条件、特に湿度環境が変化してしまうということが起こり難い。吸着剤の再生時に自室が換気されることがないので、周囲の部屋の空気条件の影響を受け難く、自室の除湿が安定して行われる。
【００３０】
例えば、吸着剤から脱着した水分を排出するのに必要な空気を自室から吸い込む除湿乾燥機を浴室に設置すると、上記水分を排出するときの風量と同量の空気が浴室ドアのガラリ等から浴室に侵入して浴室内の空気が換気され、ガラリ等から侵入する空気の湿度が高い場合には浴室内の湿度が上がってしまう等、浴室の空気条件が変化することになるが、上述の除湿乾燥機７０Ａによれば、他室の空気をダクトを介して機器に取り入れて上記水分を排出するため、浴室内が換気されることがなく、周囲の部屋の空気条件の影響を受け難く、安定して除湿することができる。
【００３１】
再生運転時の加熱器３０の温度は、当該加熱器３０に担持させた吸着剤の種類に応じて適宜選定可能である。例えば、吸着剤としてシリカゲルを用いた場合には、加熱器３０の温度を比較的低温（例えば６０℃〜１００℃程度）にして再生運転を行っても、当該シリカゲルから水分を十分に脱着させることができる。一方、吸着剤としてゼオライトを用いた場合、ゼオライトは室内や室内にある被乾燥物を乾燥させるのに適した吸着剤ではあるが、一旦吸着した水分を脱着させるためにはシリカゲルを再生させるときよりも高温に加熱することが必要であるので、再生運転時の加熱器３０の温度を比較的高温にすることが好ましい。
【００３２】
また、再生運転の実施時期は適宜選定可能である。例えば、除湿運転を長時間行って吸着剤の吸着能が大幅に低下してから再生運転を行ってもよいし、除湿運転を比較的短時間行って吸着剤の吸着能が未だ高いときに再生運転を行ってもよい。また、設置スペースが狭い等の理由から加熱器３０として大形のものを用いることができない場合には、小型の加熱器を用いてもよい。加熱器３０として小型のものを用いる場合には、該加熱器３０に担持可能な吸着剤の量も少なくなるため水分の吸着、除湿の速度は遅くなるが、除湿と再生とを短いサイクルで繰り返すことにより、時間はかかるものの所望の除湿量を確保することができるので、除湿乾燥機７０Ａの小型化を図り易くなる。再生運転に続いて行われる除湿運転時には、再生運転時に加熱器３０で生じた熱が送風により自室に投入され自室の温度が上昇するので、再生運転を比較的短い周期で繰り返し行うと、当該除湿乾燥機７０Ａを浴室乾燥機、室内の被乾燥物の乾燥機等として使用する場合に乾燥が効率よく行われることになる。
【００３３】
必要に応じて、加熱器３０を冷却するための冷却運転を再生運転に続けて行ってもよい。冷却運転は、例えば、加熱器３０に通電しないという点を除いて再生運転と同様にして行うことができる。
【００３４】
上述のようにして除湿運転と吸着剤の再生運転とを行う除湿乾燥機７０Ａでは、吸着剤が加熱器３０に担持されているので、加熱器３０で生じた熱エネルギーの多くを吸着剤の再生に利用することができる。また、吸着剤を担持するための部品を加熱器３０とは別の部品とする場合に比べて部品点数が低減される。さらには、吹出口開閉部４０Ａ、吸気風路切換部５０、および排気口開閉部５５それぞれの開閉制御により除湿用の風路と排気用の風路とを形成することができるので、ハウジング部２０内での風路のシール構造を比較的単純にすることができる。したがって、除湿乾燥機７０Ａでは、吸着剤の再生を効率よく行うことができると共に小型化を図り易い。
【００３５】
吸着剤の再生の高効率化はエネルギー消費量の削減につながり、部品点数の低減は廃棄のために除湿乾燥機７０Ａを分解する際の作業性、および分解した後に材料を分別する際の作業性の向上につながる。また、除湿乾燥機７０Ａの小型化は梱包時の包装の減量化や、流通の際の輸送の効率化、廃棄時の回収および運搬性の向上、廃棄時の環境負荷の低減につながる。
【００３６】
なお、送風機２５での吸気経路を吸気風路切換部５０によって室内空気風路ＦＰ1にして再生運転を行うこともできる。また、送風機２５での吸気経路を吸気風路切換部５０によって室内空気風路ＦＰ1と他室空気風路ＦＰ2の両方にして再生運転を行うこともできる。
【００３７】
また、除湿乾燥機７０Ａには、該除湿乾燥機７０Ａが設置されている部屋の暖房運転、換気運転、乾燥運転、他室の換気運転等を行わせることもできる。除湿乾燥機７０Ａが設置されている部屋の暖房運転は、加熱器３０に通電するという点を除き、上述した除湿運転と同様にして行われる。除湿乾燥機７０Ａが設置されている部屋の換気運転は、加熱器３０に通電しないという点、および送風機２５での吸気経路を吸気風路切換部５０によって室内空気風路ＦＰ1にするという点をそれぞれ除き、上述した再生運転と同様にして行われる。
【００３８】
除湿乾燥機７０Ａが設置されている部屋の乾燥運転は、送風機２５での吸気経路を吸気風路切換部５０によって室内空気風路ＦＰ1にするという点、および吹出口開閉部４０Ａを開にするという点をそれぞれ除き、上述した再生運転と同様にして行われる。例えば、除湿乾燥機７０Ａを浴室に設置して乾燥運転を行わせれば、温風を吹き出しながら換気を行って浴室や衣類の乾燥を行う従来型の温風乾燥機として当該除湿乾燥機７０Ａを利用することもできる。除湿乾燥機７０Ａが設置されている部屋とは異なる他の部屋（他室）の換気運転は、送風機２５での吸気経路を吸気風路切換部５０によって他室空気風路ＦＰ2にするという点、吹出口開閉部４０Ａを閉にするという点、および排気口開閉部５５を開にするという点をそれぞれ除き、前述した除湿運転と同様にして行うことができる。
【００３９】
実施の形態２．
この発明の除湿乾燥機では、該除湿乾燥機が設置されている部屋（自室）や他の部屋（他室）の空気の状態、具体的には湿度や温度を検知して、除湿運転時および再生運転時の少なくとも一方での制御内容を制御部が選定するように構成することもできる。このように除湿乾燥機を構成する場合、上記空気の状態を検知するためのセンシング部が例えば送風機の吸込口の近傍に配置される。
【００４０】
図８は、自室や他室の空気の状態を検知するセンシング部を備えた除湿乾燥機の一例での内部を側方から概略的に示す斜視図である。同図に示す除湿乾燥機７０Ｂでは、該除湿乾燥機７０Ｂが設置されている部屋（自室）や他の部屋（他室）の空気の湿度や温度を検知するためのセンシング部６３が送風機２５の吸込口２５ａの近傍に配置されている。制御部（図８には現れていない）は、センシング部６３の検知結果に応じて、除湿運転時および再生運転時の少なくとも一方での制御内容を選定する。
【００４１】
当該除湿乾燥機７０Ｂの構成は、センシング部６３を有しているという点と、除湿運転および再生運転の少なくとも一方を行うにあたって制御部がセンシング部６３の検知結果に応じて制御内容を選定するという点をそれぞれ除き、例えば実施の形態１で説明した除湿乾燥機７０Ａと同じ構成とすることができる。図８に示したセンシング部６３以外の構成部材については、図１で用いた参照符号と同じ参照符号を付してその説明を省略する。
【００４２】
例えば、除湿乾燥機７０Ｂが設置されている部屋の湿度が高い場合には、加熱器３０に担持されている吸着剤（図示せず）での単位時間当たりの水分の吸着量が多くなるので、除湿運転の時間を短くしても吸着剤での水分の吸着量が多くなる。そして、吸着剤での水分の吸着量が多ければ、再生運転で吸着剤から水分を脱着させるのに要する熱エネルギーも多くなる。一方、除湿乾燥機７０Ｂが設置されている部屋の湿度が低い場合には、上記吸着剤での単位時間当たりの水分の吸着量が少なくなる。そして、吸着剤での水分の吸着量が少なければ、再生運転で吸着剤から水分を脱着させるのに要する熱エネルギーも少なくなる。
【００４３】
したがって、湿度センサにより上述のセンシング部６３を構成した場合、制御部は、予め定められた第１条件値以上の湿度（相対湿度）が除湿運転時にセンシング部６３（湿度センサ）によって検知されると、センシング部６３の検知結果が第１条件値未満であるときに比べて１回の除湿運転の継続時間に対する１回の再生運転の継続時間を相対的に長くするか、または再生運転時に加熱器３０に投入する電力量を多くする。
【００４４】
上記の第１条件値は、除湿乾燥機７０Ｂのメーカにより定められて、例えば制御部中の記憶素子（図示せず）に予め格納される。この第１条件値は、１つのみであってもよいし、互いに異なる値の２つ以上であってもよい。また、センシング部６３の検知結果が該第１条件値以上になったとき、および第１条件値未満であるときのそれぞれについて、１回の除湿運転の継続時間、１回の再生運転の継続時間、再生運転時における加熱器３０への投入電力量等が除湿乾燥機７０Ｂのメーカにより条件値毎に定められ、これらをテーブル管理等の方法で管理するためのデータが上記の記憶素子に予め格納される。
【００４５】
制御部は、記憶素子に格納されている上記の第１条件値およびデータと、センシング部６３の検知結果とを用いて除湿運転時および再生運転時の少なくとも一方での制御内容、具体的には送風機２５および加熱器３０の動作内容を選定し、該選定した制御内容の下に送風機２５および加熱器３０を制御して、除湿乾燥機７０Ｂを動作させる。センシング部６３の検知結果に応じて除湿運転時および再生運転時の一方での制御内容のみを制御部が選定するように除湿乾燥機７０Ｂを構成する場合には、他方の制御内容はセンシング部６３の検知結果に拘わらず、例えば除湿乾燥機７０Ｂのメーカが予め設定した制御内容となる。
【００４６】
制御部の制御の下に除湿運転と再生運転とを交互に行う場合は、温度センサによりセンシング部６３を構成することができる。この場合、再生運転後の除湿運転の際に加熱器３０の余熱が室内に投入されて室内の温度が被乾燥物の乾燥の度合いや湿度に応じて漸次上昇するので、センシング部６３（温度センサ）の検知結果に基づいて当該温度上昇の度合いを制御部が演算し、その結果に基づいて除湿運転時および再生運転時の少なくとも一方での制御内容、具体的には送風機２５および加熱器３０の動作内容を選定するように除湿乾燥機７０Ｂを構成することができる。
【００４７】
すなわち、上記温度上昇の度合いが予め定められた値（以下、「第２条件値」という）未満であれば室内の被乾燥物の乾燥の度合いが低く湿度が高いと考えられ、上記温度上昇の度合いが第２条件値以上であれば室内の被乾燥物の乾燥の度合いが高く湿度が低いと考えられるので、例えば湿度センサによりセンシング部６３を構成した場合と同様にして、センシング部６３（温度センサ）の検知結果に応じて除湿運転時および再生運転時の少なくとも一方での制御内容を制御部が選定するように除湿乾燥機７０Ｂを構成することができる。なお、上記の第２条件値は、除湿乾燥機７０Ｂのメーカにより定められて、例えば制御部中の記憶素子（図示せず）に予め格納される。この第２条件値は、１つのみであってもよいし、互いに異なる値の２つ以上であってもよい。
【００４８】
湿度センサと温度センサとによりセンシング部６３を構成した場合には、これらのセンサの検知結果から制御部が室内の絶対湿度を求め、該絶対湿度に応じて制御部が除湿運転時および再生運転時の少なくとも一方での制御内容、具体的には送風機２５および加熱器３０の動作内容を選定するように除湿乾燥機７０Ｂを構成することができる。この場合、湿度センサの検知結果と温度センサの検知結果とから絶対湿度を求めるためのデータが、例えば制御部中の記憶素子（図示せず）に予め格納される。制御内容の選定は、湿度センサのみによりセンシング部６３を構成した場合と同様にして行うことができる。
【００４９】
また、再生運転時における送風機２５での吸気経路を室内空気風路ＦＰ1および他室空気風路ＦＰ2のいずれにするかを制御部がセンシング部６３の検知結果に基づいて判断し、温度が高い、湿度が低い等、吸着剤の再生に適した空気が送風機２５に吸気されるように制御部が吸気風路切換部５０の動作を制御するように構成することもできる。
【００５０】
この場合、再生運転の開始前または再生運転の初期段階で制御部が吸気風路切換部５０の動作を制御して、送風機２５での吸気経路を室内空気風路ＦＰ1にしたときの温度や湿度、および送風機２５での吸気経路を他室空気風路ＦＰ2にしたときの温度や湿度をそれぞれセンシング部６３に検知させる。そして、吸着剤の再生に適した空気が送風機２５に流入することになるように、制御部がセンシング部６３の検知結果に基づいて吸気風路切換部５０の動作を制御する。
【００５１】
勿論、送風機２５での吸気経路は、室内空気風路ＦＰ1と他室空気風路ＦＰ2のいずれか一方にしなければならないというものではなく、室内空気風路ＦＰ1と他室空気風路ＦＰ2の両方とすることもできる。また、送風機２５での吸気経路を他室空気風路ＦＰ2にしたときにのみ他室の空気の温度や湿度をセンシング部６３で検知し、他室の空気が再生運転に適さないと判断されたときには、自室の空気の温度や湿度をセンシング部６３で検知することなく送風機２５での吸気経路を室内空気風路ＦＰ1に選定するように除湿乾燥装置７０Ｂを構成してもよい。なお、再生運転に適した空気であるか否かの判断基準は、除湿乾燥機７０Ｂのメーカにより定められて、例えば制御部中の記憶素子に予め格納される。
【００５２】
上述のように構成された除湿乾燥機７０Ｂでは、該除湿乾燥機７０Ｂが設置されている部屋（自室）や他の部屋（他室）の空気の状態に応じて、除湿運転時および再生運転時の少なくとも一方の運転条件を適切な条件にすることができるので、無駄なエネルギー消費を抑えることができる。相対湿度が同じ値であっても空気中の単位体積当たりの水分量は温度に応じて異なり、結果として吸着剤での水分の吸着量も変化するので、無駄なエネルギー消費を抑えるという観点からは、湿度センサと温度センサとによりセンシング部６３を構成し、これらのセンサの検知結果から求まる部屋の絶対湿度に応じて除湿運転時および再生運転時の少なくとも一方での制御内容を制御部が選定するように除湿乾燥機７０Ｂを構成することが好ましい。
【００５３】
実施の形態３．
この発明の除湿乾燥機では、加熱器周辺での気流の発生を抑えた状態で吸着剤の再生を行うように構成することもできる。このような除湿乾燥機は、吸着剤再生時における制御部の制御内容を変える以外は、例えば実施の形態１で説明した除湿乾燥機７０Ａ（図１〜図７参照）や実施の形態２で説明した除湿乾燥機７０Ｂ（図８参照）と同様にして構成することができる。
【００５４】
図９は、加熱器周辺での気流の発生を抑えた状態で吸着剤の再生を行うように構成された除湿乾燥機の一例での吸着剤再生時の状態を示す模式図である。同図に示す除湿乾燥機７０Ｃは、吹出口開閉部４０Ａおよび排気口開閉部５５の各々を閉にすると共に送風機２５を停止させて吸着剤の再生を行う。送風機２５での吸気経路は、室内空気風路ＦＰ1であってもよいし他室空気風路ＦＰ2（図６参照）であってもよい。このようにして吸着剤の再生を行うと、該吸着剤の再生を行っている間、加熱器３０の温度上昇に伴う自然対流の発生も含めて、加熱器３０周辺での気流の発生が抑えられる。この後、排気口開閉部５５を開にし、送風機２５を起動させて、吸着剤の再生により生じた多湿空気を排気口５ａから外部に排気する。
【００５５】
図１０は、加熱器周辺での気流の発生を抑えた状態で吸着剤の再生を行うように構成された除湿乾燥機の他の例での吸着剤再生時の状態を示す模式図である。同図に示す除湿乾燥機７０Ｄは、吹出口開閉部４０Ａを閉にし、排気口開閉部５５を開にし、送風機２５を停止させて吸着剤の再生を行う。送風機２５での吸気経路は、室内空気風路ＦＰ1であってもよいし他室空気風路ＦＰ2（図６参照）であってもよい。このようにして吸着剤の再生を行っても、該吸着剤の再生を行っている間、加熱器３０周辺での気流の発生が抑えられる。この後、送風機２５を起動させて、吸着剤の再生により生じた多湿空気を排気口５ａから外部に排気する。
【００５６】
なお、各除湿乾燥機７０Ｃ，７０Ｄは、吸着剤再生時における制御部の制御内容が異なるという点を除き、実施の形態１で説明した除湿乾燥機７０Ａと同じ構成を有しているので、図９または図１０に示す各構成部材については図１〜図７で用いた参照符号と同じ参照符号を付してその説明を省略する。図９よび図１０での参照符号「Ｆ」は送風機２５のシロッコファンを示しており、参照符号「Ｖ」で示す波線の矢印は、吸着剤（図示せず）から脱着した水分による水蒸気を模式的に示している。また、参照符号「Ｓ」は、吸着剤から脱着した水分を含んだ多湿空気が滞留可能な空間を示しており、該空間は排気室ＥＲでの上部の空間に相当する。
【００５７】
上述のようにして加熱器３０周辺での気流の発生を抑えながら吸着剤の再生を行うと、放熱に起因する加熱器３０の温度低下が抑えられる。また、吸着剤から脱着した水分は、水蒸気となって加熱器３０の上方の空間Ｓに滞留するので、水蒸気が加熱器３０の近傍に滞留して吸着剤からの水分の脱着を妨げるということも起こり難い。
【００５８】
したがって、上述した各除湿乾燥機７０Ｃ，７０Ｂでは、加熱器３０への投入電力量を比較的少なくしても吸着剤を十分に加熱して該吸着剤から水分を脱着させることができる。吸着剤の再生を効率よく行うことができる。例えばゼオライトのように低湿度環境下でも高い吸着能を有する吸着剤を加熱器３０に担持させた場合、このような吸着剤を十分に再生させるためには高温での加熱が必要となるので、加熱器３０への投入電力量を比較的少なくしても吸着剤を十分に加熱することができる除湿乾燥機７０Ｃ，７０Ｄは、エネルギー消費量を削減するという観点から好適なものである。
【００５９】
また、送風機２５を停止させた状態で吸着剤の再生を行うので、部屋の空気が吸着剤の再生中に除湿乾燥機７０Ｃ，７０Ｄによって換気されてしまうということがない。このため、除湿乾燥機７０Ｃ，７０Ｄが設置されている部屋に室外の空気が流入して部屋の湿度が上昇するということも再生運転中には起こり難く、除湿運転と再生運転とを繰り返し行って部屋の空気を調湿する際に除湿、乾燥を効率よく進めることができる。
【００６０】
なお、吹出口開閉部４０Ａを開にし、排気口開閉部５５を閉にし、送風機２５を停止させて吸着剤の再生を行っても、該吸着剤の再生を行っている間、加熱器３０周辺での気流の発生が抑えられる。また、再生運転の実施間隔を長く設定したり、加熱器３０に多量の吸着剤を担持させたりした除湿乾燥機では、１回の吸着剤再生時に比較的多量の水分が脱着されることから、再生運転中に一時的に、あるいは再生運転中常に排気口開閉部５５を開にしたり、また排気口開閉部５５を開にすると共に送風機２５を起動させたりして、脱着した水分を含んだ多湿空気が排気口５ａ（図９または図１０参照）から外部に排気されるように構成してもよい。
【００６１】
実施の形態４．
この発明の除湿乾燥機では、加熱器の温度を温度センサで検知し、該検知温度に応じて加熱器３０への投入電力量を制御するように構成することもできる。このような除湿乾燥機は、上記温度センサの有無および再生運転時における制御部の制御内容（加熱器３０への投入電力量に係る制御）をそれぞれ除き、実施の形態１で説明した除湿乾燥機７０Ａ（図１〜図７参照）、実施の形態２で説明した除湿乾燥機７０Ｂ（図８参照）、または実施の形態３で説明した除湿乾燥機７０Ｃ，７０Ｄ（図９または図１０参照）と同様にして構成することができる。
【００６２】
図１１は、加熱器の温度を検知する温度センサを備えた除湿乾燥機の一例を示す模式図である。同図に示す除湿乾燥機７０Ｅは、加熱器３０の温度を検知する温度センサ６５を有しており、再生運転時には、制御部（図示せず）が当該温度センサ６５の検知温度を監視して該検知温度に応じて加熱器３０への投入電力量を制御する。具体的には、温度センサ６５の検知温度が予め設定された温度（以下、「第３条件値」という）に達すると加熱器３０への投入電力量を少なくするか、または加熱器３０への通電を停止する。
【００６３】
この除湿乾燥機７０Ｅは、温度センサ６５の有無および再生運転時における制御部の制御内容をそれぞれ除き、実施の形態３で説明した除湿乾燥機７０Ｃ，７０Ｄと同じ構成を有しているので、図１１に示す各構成部材については図９または図１０で用いた参照符号と同じ参照符号を付してその説明を省略する。
【００６４】
上記の第３条件値は、吸着剤（図示せず）から水分を十分に脱着させることができる温度であり、加熱器３０に担持させた吸着剤（図示せず）の種類および量に応じて除湿乾燥機７０Ｅのメーカにより設定されて、例えば制御部中の記憶素子（図示せず）に予め格納される。制御部は、温度センサ６５の検知温度が第３条件値以上になったときに加熱器３０への投入電力量を少なくして、加熱器３０の温度を予め定められた時間に亘って第３条件値またはその近傍の温度に維持させるか、加熱器３０への投入電力量を漸次減少させて加熱器３０の温度を漸次低下させるか、または、加熱器３０への通電を停止して加熱器３０を自然冷却させる。
【００６５】
このように構成された除湿乾燥機７０Ｅでは、再生運転時に吸着剤を必要以上に加熱するということが抑えられるので、無駄なエネルギー消費が抑えられる。加熱器３０としては種々のタイプのものを用いることができるが、実施の形態１で説明したＰＴＣヒータを用いると、当該加熱器３０の過加熱を防止して無駄なエネルギー消費を抑え易くなる。
【００６６】
実施の形態５．
この発明の除湿乾燥機では、空気吹出口からの空気の吹出し方向を可変に構成することもできる。例えば実施の形態１で説明した除湿乾燥機７０Ａにおけるように、並列配置された複数枚の羽板４０ａを有する電動式のルーバを用いて吹出口開閉部４０Ａ（図１参照）を構成する場合には、羽板４０ａの開度を制御部によって連続的または段階的に変化させることができるように構成することで、空気吹出口１０ｂ（図１参照）からの空気の吹出し方向が可変の除湿乾燥機が得られる。また、複数枚の羽板が縦横に配置された電動式のルーバを用いて吹出口開閉部を構成することでも、空気吹出口からの空気の吹出し方向が可変の除湿乾燥機が得られる。
【００６７】
図１２は、空気吹出口からの空気の吹出し方向が可変に構成された除湿乾燥機の一例を室内側から概略的に示す斜視図である。同図に示す除湿乾燥機７０Ｆは、図１に示した吹出口開閉部４０Ａに代えて吹出口開閉部４０Ｂを備えているという点を除き、図１に示した除湿乾燥機７０Ａと同様の構成を有している。図１２に示す構成部材のうちで図１に示した構成部材と共通するものについては、図１で用いた参照符号と同じ参照符号を付してその説明を省略する。
【００６８】
上記の吹出口開閉部４０Ｂは、並列配置された４枚の羽板４０ａと、平面視したときに羽板４０ａと交差する向き、具体的には直行する向きに並列配置された４枚の羽板４０ｂとを有する電動式のルーバを用いて構成されている。この吹出口開閉部４０Ｂでは、制御部（図１２には現れていない）による制御の下に各羽板４０ａ，４０ｂの開度を連続的または段階的に制御可能である。したがって、除湿乾燥機７０Ｆでは、空気吹出口１０ｂからの空気の吹出し方向が可変である。
【００６９】
このように構成された除湿乾燥機７０Ｆでは、例えば当該除湿乾燥機７０Ｆが設置された部屋に被乾燥物があるときに空気吹出口１０ｂからの空気の吹出し方向を連続的または段階的に変化させることにより、除湿後の空気を被乾燥物に満遍なく当てて該被乾燥物に乾燥ムラが生じるのを抑えることが可能になる。
【００７０】
実施の形態６．
この発明の除湿乾燥機では、吸着剤から水分を脱着させることで生じた多湿空気を他室の加湿に利用することができるよう構成することもできる。このような除湿乾燥機は、例えば、実施の形態１〜５で説明した各除湿乾燥機での排気ダクト接続部に他室用の給気ダクトを接続し、吸着剤の再生時に生じる多湿空気を排気口から上記の給気ダクトに流すようにすることで得られる。また、他室に多湿空気を供給するための多湿空気吹出口を有する他室用給気ダクト接続部をハウジング部に付加すると共に、制御部による制御の下に多湿空気吹出口を開閉する多湿空気用風路開閉部を設け、他室への多湿空気の給気と排気口からの多湿空気の排気とのいずれか一方、または両方をユーザがリモートコントローラから選択可能に構成することでも得られる。
【００７１】
多湿空気用風路開閉部と排気口開閉部とは、互いに別個の部材とすることができる。また、多湿空気吹出口と排気口とを互いに近接させて設けた場合には、ダンパ等により構成された１つの風路開閉部により多湿空気吹出口と排気口とを開閉させることが可能になるので、１つの風路開閉部により多湿空気用風路開閉部と排気口開閉部とを構成することもできる。多湿空気吹出口の有無、多湿空気用風路開閉部の有無、および多湿空気排気時の制御部の制御内容をそれぞれ除いた残りの構成は、例えば実施の形態１〜５で説明した除湿乾燥機での構成と同様の構成とすることができる。
【００７２】
上述のように構成された除湿乾燥機では、吸着剤から水分を脱着させることで生じた多湿空気を他室の加湿に利用することができるので、エネルギーを有効利用し易くなる。
【００７３】
以上、この発明の除湿乾燥機について実施の形態を挙げて説明したが、前述のように、この発明は上記の形態に限定されるものではない。この発明の除湿乾燥機は、送風機と空気吹出口との間に加熱器を配置して該加熱器に除湿用の吸着剤を担持させ、送風機での吸気経路を室内空気風路と他室空気風路との少なくとも一方に規定することができる吸気風路切換部、空気吹出口を開閉する吹出口開閉部、および排気口を開閉する排気口開閉部の各々を制御することで、室内の空気を除湿して室内に吹き出す風路と、吸着剤の再生により生じた多湿空気を外部に排気する風路とをハウジング部内に形成可能であれば基本的によく、当該除湿乾燥機の構成は適宜選定可能である。
【００７４】
例えば、吸着剤を担持した加熱器は、送風機と空気吹出口（ハウジング部での空気吹出口）との間に設けることもできるし、室内空気吸込口（ハウジング部での室内空気吸込口）と送風機との間に設けることもできる。また、吸気風路切換部は、１つの風路に室内吸込口と他室吸込口とを設けると共に該風路に室内吸込口および他室吸込口の各々を開閉させる１つまたは２つのダンパを設けることで構成することもできる。このように風路仕切部を構成した場合には、風路仕切部を設けなくても、送風機での吸気経路を室内空気風路と他室空気風路との少なくとも一方に規定することが可能になる。この発明の除湿乾燥機については、上述した以外にも様々な変形、装飾、組み合わせ等が可能である。
【産業上の利用可能性】
【００７５】
この発明の除湿乾燥機は、室内の空気の除湿、乾燥を行う家庭用または業務用の除湿乾燥機として用いることができる。
【符号の説明】
【００７６】
３ａ  他室空気吸込口
５ａ  排気口
１０  ハウジング本体
１０ａ  室内空気吸込口
１０ｂ  空気吹出口
２０  ハウジング部
２５  送風機
２５ａ  吸込口
３０  加熱器
４０Ａ，４０Ｂ  吹出口開閉部
４０ａ，４０ｂ  羽板
４５  風路仕切部
５０  吸気風路切換部
５５  排気口開閉部
６０  制御部
６３  センシング部
６５  温度センサ
７０Ａ〜７０Ｆ  除湿乾燥機
ＦＰ1  室内空気風路
ＦＰ2  他室空気風路
Ｓ  多湿空気が滞留可能な空間
【図１】
2010259994.tif 000003
【図２】
2010259994.tif 000004
【図３】
2010259994.tif 000005
【図４】
2010259994.tif 000006
【図５】
2010259994.tif 000007
【図６】
2010259994.tif 000008
【図７】
2010259994.tif 000009
【図８】
2010259994.tif 000010
【図９】
2010259994.tif 000011
【図１０】
2010259994.tif 000012
【図１１】
2010259994.tif 000013
【図１２】
2010259994.tif 000014